(57)【特許請求の範囲】
【請求項１】
コンクリート躯体の表面に落下防止ネットを複数個のアンカーピンで貼着し、前記コンクリート躯体からはく落したコンクリート片の落下を防止するようにしたコンクリート片のはく落防止方法において、
前記落下防止ネットは、ビニロン系繊維に塩ビ系樹脂を被覆した耐アルカリ性、防炎性を有する繊維を編み込んだものであって、屈曲可能で、通常の鋏で切断可能なものからなり、
落下防止ネットを構成する経糸と緯糸は、直径４３０〜４４０μmの繊維を２０００ｄｔｅｘとなるように引き揃えた２本を撚糸とし、この４０００ｄｔｅｘの撚糸をさらに引き揃えた２本を撚糸とし、これら８０００ｄｔｅｘの撚糸からなる直径約０．８ｍｍの経糸と緯糸を網糸で編み、
コンクリート躯体にある障害物を避けるために前記落下防止ネットの一部を鋏で切除し、この切除部分の周縁部に補助ネットをあてがい、アンカーピンでコンクリート躯体に固着し、
落下防止ネットとコンクリート躯体との間に、この落下防止ネットの網目より大きな間隔で組み立てられ、かつ、屈曲性を有する補助枠をあてがい、これらの落下防止ネットと補助枠とをアンカーピンでコンクリート躯体に固着したことを特徴とするコンクリート片のはく落防止方法。
【請求項２】
落下防止ネットにおける網目の間隔は、コンクリート躯体の骨材の直径より小さく、アンカーピンの直径より大きくしたことを特徴とする請求項１記載のコンクリート片のはく落防止方法。
【請求項３】
コンクリート躯体に落下防止ネットを貼着する際に、落下防止ネットの周縁部を両面テープで仮貼着後にアンカーピンにより所定間隔で固着したことを特徴とする請求項１又は２記載のコンクリート片のはく落防止方法。
【請求項４】
コンクリート躯体に落下防止ネットを貼着するに際し、落下防止ネットの周縁部に縁用ネットを重ねてアンカーピンで固着したことを特徴とする１、２又は３記載のコンクリート片のはく落防止方法。
【請求項５】
アンカーピンは、落下防止ネットの網目より十分に大きな板状の座板と、この座板の略中央のくぼみに嵌め込む座金と、このアンカーピンと座板の略中央の差し込み孔に差し込まれるつば部を有するアンカーパイプと、このアンカーパイプの内部に打ち込まれる拡開プラグとからなり、この拡開プラグの打ち込みによって前記アンカーパイプの先端部の凹凸溝を膨出させてコンクリート躯体に穿設した下穴に圧接固着し、固着後に充填材を下穴内に注入してなることを特徴とする請求項１、２、３又は４記載のコンクリート片のはく落防止方法。
【発明の詳細な説明】
【技術分野】
【０００１】
本発明は、橋梁やトンネルなどのコンクリート躯体から剥落し、又は、剥落しそうになったコンクリート片の落下を防止するためのコンクリート片のはく落防止方法に関するものである。
【背景技術】
【０００２】
この種のコンクリート片のはく落防止方法には、格子状のＦＲＰネットをアンカーピンでコンクリート面に固着する方法（特許文献１）と、ＦＲＰ格子筋とコンクリート面との間に網状物を介在させてアンカーボルトで固着する方法（特許文献２）とが知られている。
【０００３】
特許文献１に記載のＦＲＰネットは、升目間隔を５０ｍｍとし、これに、６０ｍｍ角の座板を被せ、アンカーピンをコンクリート面に打ち込んで固着するという方法が記載されている。
【０００４】
特許文献２には、ＦＲＰ格子筋が格子間距離を３０〜１５０ｍｍとした格子板状に形成硬化し、この格子筋だけをアンカーボルトで固着する方法と、この格子筋とコンクリート面との間に１ｍｍ〜２５ｍｍ程度の網状物を介在させてアンカーボルトで固着する方法が記載されている。そして、格子筋に網状物を重ねた場合には、網状物で小さなコンクリート片の落下を防止し、格子筋で大きなコンクリート片の落下を防止するというものである。
【先行技術文献】
【特許文献】
【０００５】
【特許文献１】特開２００９−２５６８８１号公報
【特許文献２】特開２００６−９２６６号公報
【発明の開示】
【発明が解決しようとする課題】
【０００６】
特許文献１及び２に示すものは、格子ネットも格子筋も硬質のＦＲＰであるため、重量の大きな剥落コンクリート片の落下を確実に防止できるが、コンクリート面が屈曲していたり、湾曲していたりすると、格子ネットも格子筋も予めその変形面に合わせた形状に製作しなければならない。また、突起物や排水管等の障害物を避けるためには、一部を切断するなどのきわめて面倒な加工を施さなければならない。
【０００７】
さらに、橋梁などの長尺のコンクリートは、伸縮膨張による位置ずれを避けるために２つのコンクリート盤を目地部で連結しており、この目地部に近いコンクリート面のひび割れが生じやすいが、この目地部を挟んで硬質の格子ネット等で被覆すると、車両の通行や地震動で２つのコンクリートが異なる方向に移動してアンカーボルトに不必要な力が働き、抜けたり、保持力が弱めたりするなどの問題があった。
【０００８】
本発明は、屈曲可能で、通常の鋏などで切断可能で、しかも、はく落に対して十分な強度を有する落下防止ネットを用いてはく落を防止する方法を提供しようとするものである。
【課題を解決するための手段】
【０００９】
本発明によるコンクリート片のはく落防止方法は、コンクリート躯体１０の表面に落下防止ネット１２を複数個のアンカーピン１３で貼着し、前記コンクリート躯体１０からはく落したコンクリート片の落下を防止するようにしたコンクリート片のはく落防止方法において、
前記落下防止ネット１２は、高強力ビニロン系繊維に塩ビ系樹脂を被覆した耐アルカリ性、防炎性を有する繊維を編み込んだものであって、屈曲可能で、通常の鋏で切断可能なものからなることを特徴とする。
【００１０】
落下防止ネット１２を構成する経糸と緯糸は、直径４３０〜４４０μmの繊維を２０００ｄｔｅｘとなるように引き揃えた２本を撚糸とし、この４０００ｄｔｅｘの撚糸をさらに引き揃えた２本を撚糸とし、これら８０００ｄｔｅｘの撚糸からなる直径約０．８ｍｍの経糸と緯糸を網糸で編みこんでなることを特徴とする。
【００１１】
コンクリート躯体１０に落下防止ネット１２を貼着する際に、落下防止ネット１２の周縁部を両面テープで仮貼着後にアンカーピン１３により所定間隔で固着する。
コンクリート躯体１０に落下防止ネット１２を貼着するに際し、落下防止ネット１２の周縁部に縁用ネット２９を重ねてアンカーピン１３で固着する。
【００１２】
コンクリート躯体１０にある障害物３１を避けるために落下防止ネット１２の一部を鋏で切除し、この切除部分の周縁部に補助ネット３０をあてがい、アンカーピン１３でコンクリート躯体１０に固着する。
【００１３】
トンネル内などのより厳格な条件が求められる場合には、落下防止ネット１２とコンクリート躯体１０との間に、この落下防止ネット１２の網目より大きな間隔で組み立てられ、かつ、屈曲性を有する補助枠３５をあてがい、これらの落下防止ネット１２と補助枠３５とをアンカーピン１３でコンクリート躯体１０に固着する。
【発明の効果】
【００１４】
コンクリート躯体の表面に落下防止ネットを複数個のアンカーピンで貼着し、前記コンクリート躯体からはく落したコンクリート片の落下を防止するようにしたコンクリート片のはく落防止方法において、
前記落下防止ネットは、ビニロン系繊維に塩ビ系樹脂を被覆した耐アルカリ性、防炎性を有する繊維を編み込んだものであって、屈曲可能で、通常の鋏で切断可能なものからなり、
落下防止ネットを構成する経糸と緯糸は、直径４３０〜４４０μmの繊維を２０００ｄｔｅｘとなるように引き揃えた２本を撚糸とし、この４０００ｄｔｅｘの撚糸をさらに引き揃えた２本を撚糸とし、これら８０００ｄｔｅｘの撚糸からなる直径約０．８ｍｍの経糸と緯糸を網糸で編み、
コンクリート躯体にある障害物を避けるために前記落下防止ネットの一部を鋏で切除し、この切除部分の周縁部に補助ネットをあてがい、アンカーピンでコンクリート躯体に固着し、
落下防止ネットとコンクリート躯体との間に、この落下防止ネットの網目より大きな間隔で組み立てられ、かつ、屈曲性を有する補助枠をあてがい、これらの落下防止ネットと補助枠とをアンカーピンでコンクリート躯体に固着したので、次のような効果を有する。
（１）落下防止ネットだけでコンクリート片のはく落を防止することができる。また、コンクリート躯体に突起物などの障害物があっても落下防止ネットを通常の鋏で切除して簡単に対処することができる。また、ネットとコンクリート面との間に水滴や熱がこもらず、遊離石灰によるコンクリートの劣化を防止できる。さらに、コンクリート面の亀裂などを目視観察、赤外線検査ができる。さらにまた、目地部で連結されている２つのコンクリート躯体に不必要にストレスを与えることがない。
（２）細くて、軽く、強度のあるネットが得られる。また、打音検査によるネットの損傷がない。
（３）落下防止ネットの一部を切除したり、切込みを入れたりしても落下防止ネット１２の強度が落ちることはない。
（４）トンネルなどの特に強度を要求され、しかも湾曲しているよう場合に有効である。
【００１６】
請求項２記載の発明によれば、落下防止ネットにおける網目の間隔は、コンクリート躯体の骨材の直径より小さく、アンカーピンの直径より大きくしたので、コンクリートがはく落して、落石がネットを通過しても、人体、車両等にほとんどダメージを与えることがない。
【００１７】
請求項３記載の発明によれば、コンクリート躯体に落下防止ネットを貼着する際に、落下防止ネットの周縁部を両面テープで仮貼着後にアンカーピンにより所定間隔で固着したので、落下防止ネットの貼着作業が円滑に行える
【００１８】
請求項４記載の発明によれば、コンクリート躯体に落下防止ネットを貼着するに際し、落下防止ネットの周縁部に縁用ネットを重ねてアンカーピンで固着したので、はく落したコンクリート片の荷重がかかっても落下防止ネットの端縁部のほつれを防止することができる。
【００２１】
請求項５記載の発明によれば、アンカーピンは、落下防止ネットの網目より十分に大きな板状の座板と、この座板の略中央のくぼみに嵌め込む座金と、このアンカーピンと座板の略中央の差し込み孔に差し込まれるつば部を有するアンカーパイプと、このアンカーパイプの内部に打ち込まれる拡開プラグとからなり、この拡開プラグの打ち込みによって前記アンカーパイプの先端部の凹凸溝を膨出させてコンクリート躯体に穿設した下穴に圧接固着し、固着後に充填材を下穴内に注入してなるので、アンカーピンの経年劣化を防止することができる。
【図面の簡単な説明】
【００２２】
【図１】本発明によるコンクリート片のはく落防止方法を説明するためのコンクリート躯体１０にアンカーピン１３で落下防止ネット１２を取り付けた状態の断面図である。
【図２】目地部１１で連結された２つのコンクリート躯体１０の間に落下防止ネット１２を取り付けた本発明によるコンクリート片のはく落防止方法を説明する断面図である。
【図３】（ａ）は、落下防止ネット１２に座板１４とアンカーピン１３で取り付けた状態の正面図、（ｂ）は、落下防止ネット１２に縁用ネット２９を重ねて座板１４とアンカーピン１３で取り付けた状態の正面図である。
【図４】（ａ）は、橋梁３３の側面から下面にかけて落下防止ネット１２を取り付けた状態の断面図、（ｂ）は、（ａ）の底面図である。
【図５】トンネルに本発明のコンクリート片のはく落防止方法を施工している状態の断面図である。
【図６】トンネルに使用される落下防止ネット１２の一例を示す正面図である。
【図７】（ａ）は、図６の一部の拡大正面図、（ｂ）は、（ａ）の側断面図である。
【図８】（ａ）は、引き抜き試験を示す正面図、（ｂ）は、引き抜き試験を示す平面図である。
【図９】引き抜き試験における伸びＸと荷重Ｙの関係を示す特性図である。
【発明を実施するための形態】
【００２３】
本発明は、コンクリート躯体１０の表面に落下防止ネット１２を複数個のアンカーピン１３で貼着し、前記コンクリート躯体１０からはく落したコンクリート片の落下を防止するようにしたコンクリート片のはく落防止方法において、前記落下防止ネット１２は、高強力ビニロン系繊維に塩ビ系樹脂を被覆した耐アルカリ性、防炎性を有する繊維を編み込んだものであって、屈曲可能で、通常の鋏で切断可能なものが用いられる。
【００２４】
落下防止ネット１２は、具体的には、経糸と緯糸は、４３０〜４４０μmの繊維を２０００ｄｔｅｘとなるように引き揃えた２本を撚糸とし、この４０００ｄｔｅｘの撚糸をさらに引き揃えた２本を撚糸とし、これら８０００ｄｔｅｘの撚糸からなる直径約０．８ｍｍの経糸と緯糸を網糸で編みこんで構成する。
また、落下防止ネット１２における網目の間隔は、コンクリート躯体１０の骨材の直径より小さく、アンカーピン１３の直径より大きくする。
【００２５】
コンクリート躯体１０に落下防止ネット１２を貼着する際に、落下防止ネット１２の周縁部を両面テープで仮貼着後にアンカーピン１３により所定間隔で固着する。
【００２６】
コンクリート躯体１０に落下防止ネット１２を貼着するに際し、落下防止ネット１２の周縁部に補強のために縁用ネット２９を重ねてアンカーピン１３で固着する。
【００２７】
コンクリート躯体１０にある障害物３１を避けるために落下防止ネット１２の一部を鋏で切除したり、切込みを入れたりする場合には、この切除部分の周縁部に補助ネット３０をあてがい、アンカーピン１３でコンクリート躯体１０に固着する。
【００２８】
トンネル工事等では、落下防止ネット１２とコンクリート躯体１０との間に、この落下防止ネット１２の網目より大きな間隔で組み立てられ、かつ、屈曲性を有する補助枠３５をあてがい、これらの落下防止ネット１２と補助枠３５とをアンカーピン１３でコンクリート躯体１０に固着してコンクリート片のはく落を防止する。
【実施例１】
【００２９】
本発明によるコンクリート片のはく落防止方法の実施例１を図面に基づき説明する。
図２は、橋梁のような、長尺の２つのコンクリート躯体１０が間に目地部１１で連結した構造物を示しており、この目地部１１を挟んだ２つのコンクリート躯体１０の表面に跨って落下防止ネット１２を張り巡らし、アンカーピン１３で固着した例を示している。
【００３０】
前記落下防止ネット１２は、屈曲可能で、通常の鋏により切断可能で、しかも、はく落に対して十分な強度と、耐アルカリ性、防炎性を有するものが用いられる。具体的には、高強力ビニロン系繊維に塩ビ系樹脂を被覆したもので、直径４３０〜４４０μｍの繊維を２０００ｄｔｅｘ（１００００ｍ当り２０００ｇ）となるように引き揃え、この２０００ｄｔｅｘの２本を撚糸として４０００ｄｔｅｘとし、この４０００ｄｔｅｘの２本を引き揃え、３００ｄの編糸で編込んでこれらをそれぞれ直径約０．８ｍｍの経糸と緯糸として織り込んだものである。
【００３１】
前記落下防止ネット１２は、平織りとすると、その網目の間隔ｄは、図３（ａ）に示すように、コンクリート躯体１０に混練する骨材の直径（通常、１３ｍｍ）より小さく、アンカーピン１３の直径（通常、４．５又は６ｍｍ）より大きくすることが好ましく、本実施例では、ｄ＝８．０ｍｍ×８．０ｍｍとした。前記落下防止ネット１２は、平織りに限られず、綾織その他の公知の織り方であってもよい。
【００３２】
前記落下防止ネット１２をコンクリート躯体１０の表面に固定するには、アンカーピン１３が使用される。このアンカーピン１３は、アンカーパイプ１６と座板１４と拡開プラグ２２と座金２５とからなる。前記アンカーパイプ１６は、外径が４．５又は６．０ｍｍで、長さが４５〜１００ｍｍ程度のステンレスパイプからなり、基端部には、外側に開いたつば部１７が形成され、先端部には、５ｍｍ程度の間隔で円周方向に内方突条１９と外方突条２０からなる凹凸溝１８が形成されるとともに、長さ方向に２〜４本のすり割り２１が形成されている。前記拡開プラグ２２は、前記アンカーパイプ１６の内側に略接しながら差し込まれるような円柱形をなし、先端部にテーパー部２３が形成されている。
【００３３】
前記座板１４は、幅が５０〜１００ｍｍ程度（実施例では６０ｍｍ）のＦＲＰの正方形の板状で、中央に座金２５が嵌め込まれるくぼみ２６とこのくぼみ２６の中心部に前記アンカーパイプ１６が貫通する差し込み孔２７が形成され、また、この差し込み孔２７の背面には、必要に応じて突縁部が膨出している。
【００３４】
以上のような落下防止ネット１２とアンカーピン１３を用いてコンクリート躯体１０の表面に落下防止ネット１２を貼着する作業工程を説明する。
図２に示すように、２枚のコンクリート躯体１０が目地部１１を介在して連続するような場合には、連続する端縁部に兎角ひび割れ１５が生じ易いので、前記目地部１１を挟む両側に連続する落下防止ネット１２を貼着することが好ましい。
そこで、準備工として幅２．１ｍ、長さ５０．０ｍに編みこまれ、ロール状に巻かれた落下防止ネット１２を用意し、幅２．１ｍ、長さ４．１ｍに切断する。
切断した落下防止ネット１２の端縁部は、３〜１０ｍｍ幅の両面接着テープでコンクリート躯体１０の面に仮止めする。
仮止めした落下防止ネット１２の端縁部に、例えば、１０００ｍｍ、６００ｍｍ、５００ｍｍ、２５０ｍｍなど目的に応じた所定間隔でコンクリート躯体１０にドリルで下穴２４を穿設する。このとき、下穴２４が落下防止ネット１２の網目の中心で繊維を切断しないように注意して穿設する。下穴２４の深さは、アンカーピン１３の長さに合わせる。
【００３５】
落下防止ネット１２の上に座板１４の差し込み孔２７が下穴２４と一致するようにあてがい、座板１４のくぼみ２６に座金２５を嵌め込み、アンカーパイプ１６を差し込む。つぎに、アンカーパイプ１６の中にテーパー部２３が先端になるようにして拡開プラグ２２を挿入する。拡開プラグ２２の挿入後、打ち込み棒をアンカーパイプ１６の中に差し込み、ハンマーで拡開プラグ２２を打ち込むと、拡開プラグ２２により凹凸溝１８の内方突条１９が外側に押し広げられ、外方突条２０が下穴２４の内壁に圧接してアンカーピン１３は、抜け止めとなる。
アンカーピン１３がコンクリート躯体１０に固着されたらアンカーパイプ１６の内部に樹脂注入ガンで充填材２８を圧入すると、充填材２８は、アンカーパイプ１６の内部からすり割り２１を経てアンカーパイプ１６と下穴２４の隙間にも流れ込み、つば部１７の部分で平らにならしてアンカーピン１３の打ち込みを終了する。
同様にして、アンカーピン１３が所定間隔で打ち込まれて落下防止ネット１２がコンクリート躯体１０の表面に貼着される。
【００３６】
次に、橋梁３３に設置する場合について説明する。
橋梁３３は、走行側か、追い越し側か、形状はどうか、障害物はあるかなどによって施工位置が異なるため、異なる位置に応じて落下防止ネット１２を加工しておくことが必要である。
例えば、図４（ａ）に示すように、橋梁３３の走行車線の遮音壁の側面から下面を保護し、かつ、下面から配水管等の障害物３１が突出している場合について説明する。
この場合において、垂直面部分は、８００ｍｍ、下面部分は１２００ｍｍで、全体の幅を２０００ｍｍに裁断しておく。長さは、４．１ｍとする。４．０ｍとせず、１０ｃｍだけ長くしたのは、長さ方向に連続するとき、重ね合わせ部分を１０ｃｍとするためである。
【００３７】
このように裁断した落下防止ネット１２において、配水管等の障害物３１などの障害物がある場合には、図４（ｂ）に示すように、円形と直線の切り込み３２を通常の鋏で切断加工しておく。直線の切り込み３２には、補助ネット３０を被せる。
このように加工された落下防止ネット１２を両面テープで仮止めする。
仮止め後、図１に示した方法で落下防止ネット１２の端縁部を所定間隔で固着する。具体的には、落下防止ネット１２の長さ方向の間隔は、１０００ｍｍとし、幅方向の間隔は、垂直面の上端部に１個、下面の曲がり角部に１個、下面の端縁部に１個とする。
配水管等の障害物３１を避けるために切除した切り込み３２の部分と、補助ネット３０を被せた部分には、できるだけ細かにアンカーピン１３を打ち込み固着する。
【００３８】
アンカーピン１３の打ち込みに際し、比較的荷重がかからない場所には、図３（ａ）のように、落下防止ネット１２に直接座板１４をあてがいアンカーピン１３で固着する。また、比較的大きな荷重がかかると予想される場所には、図３（ｂ）のように、落下防止ネット１２の端縁部に１０ｃｍ幅程度の網目の細かな縁用ネット２９を重ねてアンカーピン１３で固着することが望ましい。
アンカーピン１３の打ち込み後、図１と同様にアンカーパイプ１６の内部に樹脂注入ガンで充填材２８を圧入する。
【００３９】
次にトンネル３４の内壁などのように、落下防止ネット１２の最大荷重の基準が一般的なコンクリート躯体１０の表面のはく落基準より高いような場合には、トンネル３４の長さ方向と直角な方向に、たとえば、６００×２０００ｍｍの幅の狭い落下防止ネット１２を用いる。この落下防止ネット１２を固着するためには、アンカーピン１３の間隔が５００ｍｍ、３５０ｍｍ、２５０ｍｍなど狭くすることが考えられるが、図６及び図７に示すように、落下防止ネット１２の内側に補助枠３５を挿入する。この補助枠３５は、幅が２０〜３０ｍｍ、厚さが５〜１５ｍｍで、端縁部の間隔が５０〜１５０ｍｍ、中央部の間隔が４００〜５００ｍｍの屈曲可能なＦＲＰ薄板で構成する。
【００４０】
このような補助枠３５と落下防止ネット１２を用いることによって、図５のように、湾曲している壁面にもぴったりと密着させて取り付けることができ、かつ、大きなはく落があった場合には、確実に落下を防止できる。
【００４１】
本発明に用いた落下防止ネット１２の引き抜き試験を説明する。
図８（ａ）（ｂ）において、固定盤３７の中央に直径１００ｍｍの円形の載荷板３８を載せ、この載荷板３８の上に幅６００ｍｍ、長さ６５０ｍｍの試験片としての落下防止ネット１２を被せる。この落下防止ネット１２の中心位置の網目から前記載荷板３８の中心に連結した軸４０を突出させる。この軸４０は、引抜機３９に連結する。前記落下防止ネット１２は、幅方向に５００ｍｍのピッチと、長さ方向２５０ｍｍのピッチで６箇所をアンカーピン１３で前記固定盤３７に固着する。
【００４２】
この状態で、引抜機３９により載荷板３８を２０ｍｍ／ｍｉｎの速度で引き抜く。すると、落下防止ネット１２の伸びＸと載荷板３８に加えられる荷重Ｙは、略正比例して変化し、所定荷重Ｙで破壊する。
同様の試験を３回繰り返したときの波形が図９に示される。これを数値で表すと、次の通りであった。
試験片Ｎｏ．  最大荷重Ｙ（ｋＮ）  最大伸びＸ（ｍｍ）
１          １．９８１            ２３８．６５
２          ２．０６４            ２４９．４１
３          ２．３３４            ２６７．４６
平均値        ２．１２６            ２５１．８４
標準的な落下防止ネット１２には、最大荷重Ｙ＝１．２ｋＮ以上
トンネル３４の落下防止ネット１２には、最大荷重Ｙ＝１．５ｋＮ以上
であることが求められているので、前記試験結果によれば、いずれの場合にも十分な数値が得られた。
【符号の説明】
【００４３】
１０…コンクリート躯体、１１…目地部、１２…落下防止ネット、１３…アンカーピン、１４…座板、１５…ひび割れ、１６…アンカーパイプ、１７…つば部、１８…凹凸溝、１９…内方突条、２０…外方突条、２１…すり割り、２２…拡開プラグ、２３…テーパー部、２４…下穴、２５…座金、２６…くぼみ、２７…差し込み孔、２８…充填材、２９…縁用ネット、３０…補助ネット、３１…配水管等の障害物、３２…切り込み、３３…橋梁、３４…トンネル、３５…補助枠、３６…作業車、３７…固定盤、３８…載荷板、３９…引抜機、４０…軸。
【図１】
0006478834.tif 000002
【図２】
0006478834.tif 000003
【図３】
0006478834.tif 000004
【図４】
0006478834.tif 000005
【図５】
0006478834.tif 000006
【図６】
0006478834.tif 000007
【図７】
0006478834.tif 000008
【図８】
0006478834.tif 000009
【図９】
0006478834.tif 000010